(57)【要約】【課題】基準となる時刻情報を送信する複数のマスタ装置と、複数の中継装置を介して時刻情報を受信し時刻同期を取る特定の中継装置との間で、ＭＴＩＥ値の合計が最小となる最適な伝送経路を選択する。【解決手段】時刻経路選択装置３０は、基準の時刻情報を送信するマスタ装置１１，１２と、中継装置１３又は１４を介して時刻情報を受信し時刻同期を取るエッジの中継装置１５又は１６との間で、各中継装置１３〜１６で求められるＭＴＩＥ値に基づき時刻同期に用いる伝送経路を選択する。時刻経路選択装置３０は、各中継装置１３〜１６で求められたＭＴＩＥ値を受信する時刻情報受信部３１と、受信ＭＴＩＥ値を基に、中継装置１５とマスタ装置１１，１２との間の各伝送経路において伝送経路毎に合計のＭＴＩＥ値を求め、合計のＭＴＩＥ値が最小（１７０ｎｓ）の伝送経路を選択し、時刻同期に用いる伝送経路として導出する最適経路導出部３３とを備える。【選択図】図１
2019146052.tif 000002
【特許請求の範囲】
【請求項１】
基準となる時刻情報を送信する複数のマスタ装置と、複数の中継装置を介して前記時刻情報を受信し時刻同期を取る特定の中継装置との間で、各中継装置で求められるＭＴＩＥ（Maximum Time Interval Error）値に基づき時刻同期に用いる伝送経路を選択する時刻経路選択装置であって、
前記マスタ装置の下り伝送経路側に接続された全ての中継装置で求められたＭＴＩＥ値を受信する受信部と、
前記特定の中継装置と複数の中継装置を介した前記複数のマスタ装置との間の各伝送経路において伝送経路毎に合計のＭＴＩＥ値を求め、これらの合計のＭＴＩＥ値が最小の伝送経路を前記時刻同期に用いる伝送経路として導出する導出部と
を備えることを特徴とする時刻経路選択装置。
【請求項２】
前記導出部で導出された前記時刻同期に用いる伝送経路の情報に係る最適経路情報を、この最適経路情報で示される伝送経路上のマスタ装置、中継装置及び特定の中継装置に通知する送信部
を更に備えることを特徴とする請求項１に記載の時刻経路選択装置。
【請求項３】
前記導出部は、特定の中継装置同士の前記マスタ装置までの各合計ＭＴＩＥ値の差分が予め定められた規定値以下で、且つ当該中継装置同士の各々において合計ＭＴＩＥ値が最小値となるように合計ＭＴＩＥ値を求め、当該合計ＭＴＩＥ値に係る各伝送経路を、各特定の中継装置における前記時刻同期に用いる伝送経路として導出する
ことを特徴とする請求項１に記載の時刻経路選択装置。
【請求項４】
基準となる時刻情報を送信する複数のマスタ装置と、複数の中継装置を介して前記時刻情報を受信し時刻同期を取る特定の中継装置との間で、各中継装置で求められるＭＴＩＥ値に基づき時刻同期に用いる伝送経路を選択する処理を行い、各中継装置に備えられる時刻経路選択装置であって、
自中継装置の上り側に直接接続された各マスタ装置との間又は各中継装置との間の各々のＭＴＩＥ値の最小値及び当該最小値に係る伝送経路の経路ＩＤを記憶する記憶部と、
上り側に直接接続された各中継装置の記憶部に記憶されたＭＴＩＥ値の最小値及び当該最小値に係る伝送経路の経路ＩＤを、当該上り側に直接接続された各中継装置から受信する最小値受信部と、
前記受信された経路ＩＤに係る上り側の中継装置からの最小のＭＴＩＥ値と、当該上り側の中継装置から自中継装置までのＭＴＩＥ値とを合計して合計値を求める計算を、上り側の中継装置毎に行う合計値計算部と、
計算された上り側の中継装置毎の合計値の中で最小値に係る伝送経路を前記時刻同期に用いる伝送経路として選択する選択部と、
前記選択された時刻同期に用いる伝送経路の情報を、この情報の当該伝送経路に係る上り側の中継装置へ送信する送信部と
を備えることを特徴とする時刻経路選択装置。
【請求項５】
基準となる時刻情報を送信する複数のマスタ装置と、複数の中継装置を介して前記時刻情報を受信し時刻同期を取る特定の中継装置との間で、各中継装置で求められるＭＴＩＥ（Maximum Time Interval Error）値に基づき時刻同期に用いる伝送経路を選択する時刻経路選択装置による時刻経路選択方法であって、
前記時刻経路選択装置は、
前記マスタ装置の下り伝送経路側に接続された全ての中継装置で求められたＭＴＩＥ値を受信するステップと、
前記特定の中継装置と複数の中継装置を介した前記複数のマスタ装置との間の各伝送経路において伝送経路毎に合計のＭＴＩＥ値を求め、これらの合計ＭＴＩＥ値が最小の伝送経路を前記時刻同期に用いる伝送経路として導出するステップと
を実行することを特徴とする時刻経路選択方法。
【請求項６】
基準となる時刻情報を送信する複数のマスタ装置と、複数の中継装置を介して前記時刻情報を受信し時刻同期を取る特定の中継装置との間で、各中継装置で求められるＭＴＩＥ値に基づき時刻同期に用いる伝送経路を選択する処理を行い、各中継装置に備えられる時刻経路選択装置による時刻経路選択方法であって、
前記時刻経路選択装置は、
自中継装置の上り側に直接接続された各マスタ装置との間又は各中継装置との間の各々のＭＴＩＥ値の最小値及び当該最小値に係る伝送経路の経路ＩＤを記憶するステップと、
上り側に直接接続された各中継装置に記憶されたＭＴＩＥ値の最小値及び当該最小値に係る伝送経路の経路ＩＤを、当該上り側に直接接続された各中継装置から受信するステップと、
前記受信された経路ＩＤに係る上り側の中継装置からの最小のＭＴＩＥ値と、当該上り側の中継装置から自中継装置までのＭＴＩＥ値とを合計して合計値を求める計算を、上り側の中継装置毎に行うステップと、
計算された上り側の中継装置毎の合計値の中で最小値に係る伝送経路を前記時刻同期に用いる伝送経路として選択するステップと、
前記選択された時刻同期に用いる伝送経路の情報を、この情報の当該伝送経路に係る上り側の中継装置へ送信するステップと
を実行することを特徴とする時刻経路選択方法。
【発明の詳細な説明】
【技術分野】
【０００１】
本発明は、ＧＰＳ（Global Positioning System）から時刻情報を受信するマスタ装置と複数の中継装置との間で高精度に時刻同期を取りながら、特定の中継装置とマスタ装置との間で最適な伝送経路を選択する時刻経路選択装置及び時刻経路選択方法に関する。
【背景技術】
【０００２】
昨今、高精度や高信頼な時刻同期を必要とするシステムやサービスの需要が高まっている。高精度な時刻同期を実現する方法としては、一般的にマスタ装置（通信装置）でＧＰＳから時刻情報を受信する方式が知られている。広範囲な通信システムにおいて時刻を同期させる場合、時刻の基準となる複数のマスタ装置と、有線のネットワークを介した複数の中継装置（通信装置）との間で時刻同期を取る方式が考えられる。一方のマスタ装置が故障した場合、他の正常なマスタ装置から時刻情報をネットワークを介して高精度に伝送する必要がある。ネットワークを介した時刻情報の伝送では、障害等に対する信頼性を高めるために、冗長構成を組むことが一般的である。
【０００３】
時刻同期を実現する方法として、ＰＴＰ（Precision Time Protocol）を利用する方法がある。ＰＴＰでは、相互に対向するマスタ装置及び中継装置としてのスレーブ装置間で時刻情報を含むＰＴＰパケットを遣り取りすることで、スレーブ装置の時刻をマスタ装置の時刻に補正して時刻同期を取る。
【０００４】
時刻同期ネットワークの冗長構成において最適な経路を決定する方法として、ＰＴＰのＢＭＣＡ（Best Master Clock Algorithm）機能を利用する方法がある。ＢＭＣＡ機能では、スレーブ装置は２つのマスタ装置と冗長構成を組むことが可能である。この場合、各マスタ装置はスレーブ装置へ定期的に時刻情報をアナウンスメッセージとして通知する。スレーブ装置は受信した時刻情報からＢＭＣＡ機能のアルゴリズムに基づき、次のように伝送遅延が最小であることにより最適なマスタ装置を選定している。
【０００５】
例えば、図６に示す通信システム１０は、図示せぬＧＰＳから基準となる時刻情報をアンテナ１１ａ，１２ａで受信する２つのマスタ装置１１，１２と、複数の中継装置１３，１４，１５，１６とが相互に有線の伝送経路で接続されて構成されている。この構成において、マスタ装置１１と中継装置１３間の後述するＭＴＩＥ（Maximum Time Interval Error：最大時間間隔誤差）値は９０ｎｓであり、マスタ装置１１と中継装置１４間のＭＴＩＥ値は２００ｎｓである。他においても図示の通りであるとする。
【０００６】
ここで、ＭＴＩＥ値について説明する。上述のＰＴＰを適用した例えばマスタ装置１１からの送信パケットを中継装置１３が受信した際に、このパケットの受信時刻と送信時刻との差である基準の伝送遅延時間と、パケット伝送に遅延揺らぎが発生した場合の実際の伝送遅延時間との双方の差をＴＩＥ（時間間隔誤差：ズレ）という。但し、基準の伝送遅延時間は、パケット伝送に遅延揺らぎが発生していない場合であるとする。
【０００７】
図７は縦軸にＴＩＥ（ズレ）を取り、横軸に時間を取った際のＴＩＥと時間との関係図である。パケット伝送に遅延揺らぎの発生が無い場合は、図７の横軸上に線Ｅ０で表わすように、ＴＩＥ（ズレ）が０であり、マスタ装置１１と中継装置１３間で正確に時刻同期している。
【０００８】
一方、パケット伝送に遅延の揺らぎが発生した場合、図７に斜線Ｅ１，Ｅ２，Ｅ３で示すように、ＴＩＥが生じる。このＴＩＥは徐々に大きくなるので、中継装置１３において、図７の時刻ｔ２，ｔ３，ｔ５で示すように、ＴＩＥを無くす処理（ＴＩＥ＝０）が行われる。
【０００９】
ここで、例えば時刻ｔ１とｔ４間の１日の期間ｔａにおいて、大きな遅延揺らぎによって最大のズレ（ＴＩＥ１）が発生したとする。この最大のＴＩＥ１を、ＭＴＩＥ値と呼んでいる。このＭＴＩＥ値は、図６に示す各マスタ装置１１，１２及び複数の中継装置１３〜１６間の５０ｎｓ，２００ｎｓ等の値である。各中継装置１３〜１６は、ＭＴＩＥ値を求める機能を有する。
【００１０】
中継装置１３は、一方のマスタ装置１１とのＭＴＩＥ値９０ｎｓと、他方のマスタ装置１２とのＭＴＩＥ値２００ｎｓとを比較し、ＭＴＩＥ値が小さい（９０ｎｓ）の伝送経路で接続されたマスタ装置１１を選択する機能を有する。他の中継装置１４〜１６も同機能を有する。
【００１１】
例えば、上り側から見て最下位のエッジの中継装置１５は、上り側の一方の中継装置１３とのＭＴＩＥ値９０ｎｓと、他方の中継装置１４とのＭＴＩＥ値１２０ｎｓとを比較し、ＭＴＩＥ値が小さい方（９０ｎｓ）の伝送経路で接続された中継装置１３を選択する。このようにしてエッジの中継装置１５は、中継装置１３を介した伝送経路で接続された最適なマスタ装置１１を選択する。この種の技術として非特許文献１に記載の技術がある。
【先行技術文献】
【非特許文献】
【００１２】
【非特許文献１】IEEE Std 1588-2008 (Revision of IEEE Std 1588-2002) - IEEE Standard for a Precision Clock Synchronization Protocol for Networked Measurement and Control Systems.
【発明の概要】
【発明が解決しようとする課題】
【００１３】
しかし、上述した図６のように、ＭＴＩＥ値が小さい方の上り側の中継装置を選定するアルゴリズムの場合、例えばエッジの中継装置１５から複数の中継装置１３，１４を介した最上位のマスタ装置１１，１２までの全体の経路においては、ＭＴＩＥ値の合計が最小値となるマスタ装置１２を選択できない場合がある。
【００１４】
例えば、エッジの中継装置１５が、ＭＴＩＥ値が９０ｎｓと小さい伝送経路で接続された中継装置１３と、この上り側においてＭＴＩＥ値が９０ｎｓと小さい伝送経路で接続されたマスタ装置１１を選択する。この場合、マスタ装置１１からエッジの中継装置１５までの合計のＭＴＩＥ値は９０ｎｓ＋９０ｎｓ＝１８０ｎｓとなる。
【００１５】
しかし、エッジの中継装置１５が他の中継装置１４を介して接続された他のマスタ装置１２までの合計のＭＴＩＥ値は、そのマスタ装置１２側から順に５０ｎｓ、１２０ｎｓであり、合計が１７０ｎｓとなる。このＭＴＩＥ値１７０ｎｓの方が上述のＭＴＩＥ値１８０ｎｓよりも小さい。つまり、エッジの中継装置１５は、ＭＴＩＥ値が最小となる最適な伝送経路を介したマスタ装置１２が選択できていない。このように従来の経路選択のアルゴリズムでは、合計ＭＴＩＥ値が最小となる最適な伝送経路を介したマスタ装置が選択できないという問題があった。
【００１６】
本発明は、このような事情に鑑みてなされたものであり、基準となる時刻情報を送信する複数のマスタ装置と、複数の中継装置を介して時刻情報を受信し時刻同期を取る特定の中継装置との間で、ＭＴＩＥ値の合計が最小となる最適な伝送経路を選択できる時刻経路選択装置及び時刻経路選択方法を提供することを課題とする。
【課題を解決するための手段】
【００１７】
上記課題を解決するための手段として、請求項１に係る発明は、基準となる時刻情報を送信する複数のマスタ装置と、複数の中継装置を介して前記時刻情報を受信し時刻同期を取る特定の中継装置との間で、各中継装置で求められるＭＴＩＥ（Maximum Time Interval Error）値に基づき時刻同期に用いる伝送経路を選択する時刻経路選択装置であって、前記マスタ装置の下り伝送経路側に接続された全ての中継装置で求められたＭＴＩＥ値を受信する受信部と、前記特定の中継装置と複数の中継装置を介した前記複数のマスタ装置との間の各伝送経路において伝送経路毎に合計のＭＴＩＥ値を求め、これらの合計のＭＴＩＥ値が最小の伝送経路を前記時刻同期に用いる伝送経路として導出する導出部とを備えることを特徴とする時刻経路選択装置である。
【００１８】
請求項５に係る発明は、基準となる時刻情報を送信する複数のマスタ装置と、複数の中継装置を介して前記時刻情報を受信し時刻同期を取る特定の中継装置との間で、各中継装置で求められるＭＴＩＥ（Maximum Time Interval Error）値に基づき時刻同期に用いる伝送経路を選択する時刻経路選択装置による時刻経路選択方法であって、前記時刻経路選択装置は、前記マスタ装置の下り伝送経路側に接続された全ての中継装置で求められたＭＴＩＥ値を受信するステップと、前記特定の中継装置と複数の中継装置を介した前記複数のマスタ装置との間の各伝送経路において伝送経路毎に合計のＭＴＩＥ値を求め、これらの合計ＭＴＩＥ値が最小の伝送経路を前記時刻同期に用いる伝送経路として導出するステップとを実行することを特徴とする時刻経路選択方法である。
【００１９】
この請求項１の構成及び請求項５の方法によれば、次のような作用効果が得られる。基準となる時刻情報を送信する複数のマスタ装置と、複数の中継装置を介して時刻情報を受信し時刻同期を取る特定の中継装置との間には、複数の伝送経路が存在する。本発明では、その複数の伝送経路毎の合計のＭＴＩＥ値を求め、これらの合計ＭＴＩＥ値が最小の伝送経路を時刻同期に用いる伝送経路として導出するようにした。つまり、マスタ装置と、複数の中継装置を介した特定の中継装置との間の各伝送経路において、ＭＴＩＥ値の合計が最小となる最適な伝送経路を選択できる。
【００２０】
請求項２に係る発明は、前記導出部で導出された前記時刻同期に用いる伝送経路の情報に係る最適経路情報を、この最適経路情報で示される伝送経路上のマスタ装置、中継装置及び特定の中継装置に通知する送信部を更に備えることを特徴とする請求項１に記載の時刻経路選択装置である。
【００２１】
この構成によれば、送信部は、最適な伝送経路上のマスタ装置と特定の中継装置と、この間に接続された中継装置との各々に、最適経路情報を通知する。このため、最適な伝送経路上のマスタ装置と特定の中継装置とは、その通知された最適経路情報に基づき、マスタ装置と特定の中継装置間に接続された中継装置を経由した最適経路で通信を行うように設定可能となる。
【００２２】
請求項３に係る発明は、前記導出部は、特定の中継装置同士の前記マスタ装置までの各合計ＭＴＩＥ値の差分が予め定められた規定値以下で、且つ当該中継装置同士の各々において合計ＭＴＩＥ値が最小値となるように合計ＭＴＩＥ値を求め、当該合計ＭＴＩＥ値に係る各伝送経路を、各特定の中継装置における前記時刻同期に用いる伝送経路として導出することを特徴とする請求項１に記載の時刻経路選択装置である。
【００２３】
この構成によれば、次のような作用効果を得ることができる。例えば、各特定の中継装置にモバイルの基地局が接続される構成を想定する。但し、各基地局は、これらが接続される各特定の中継装置における上り側の各合計ＭＴＩＥ値の差分が小さく、且つ各合計ＭＴＩＥ値がより小さくなる場合に、最適な通信を行うことが可能であるとする。このような各基地局の条件を、時刻経路選択装置で満たすことが可能なので、各特定の中継装置にモバイルの基地局を接続した場合に、適正な通信を行わせることができる。
【００２４】
請求項４に係る発明は、基準となる時刻情報を送信する複数のマスタ装置と、複数の中継装置を介して前記時刻情報を受信し時刻同期を取る特定の中継装置との間で、各中継装置で求められるＭＴＩＥ値に基づき時刻同期に用いる伝送経路を選択する処理を行い、各中継装置に備えられる時刻経路選択装置であって、自中継装置の上り側に直接接続された各マスタ装置との間又は各中継装置との間の各々のＭＴＩＥ値の最小値及び当該最小値に係る伝送経路の経路ＩＤを記憶する記憶部と、上り側に直接接続された各中継装置の記憶部に記憶されたＭＴＩＥ値の最小値及び当該最小値に係る伝送経路の経路ＩＤを、当該上り側に直接接続された各中継装置から受信する最小値受信部と、前記受信された経路ＩＤに係る上り側の中継装置からの最小のＭＴＩＥ値と、当該上り側の中継装置から自中継装置までのＭＴＩＥ値とを合計して合計値を求める計算を、上り側の中継装置毎に行う合計値計算部と、計算された上り側の中継装置毎の合計値の中で最小値に係る伝送経路を前記時刻同期に用いる伝送経路として選択する選択部と、前記選択された時刻同期に用いる伝送経路の情報を、この情報の当該伝送経路に係る上り側の中継装置へ送信する送信部とを備えることを特徴とする時刻経路選択装置である。
【００２５】
請求項６に係る発明は、基準となる時刻情報を送信する複数のマスタ装置と、複数の中継装置を介して前記時刻情報を受信し時刻同期を取る特定の中継装置との間で、各中継装置で求められるＭＴＩＥ値に基づき時刻同期に用いる伝送経路を選択する処理を行い、各中継装置に備えられる時刻経路選択装置による時刻経路選択方法であって、前記時刻経路選択装置は、自中継装置の上り側に直接接続された各マスタ装置との間又は各中継装置との間の各々のＭＴＩＥ値の最小値及び当該最小値に係る伝送経路の経路ＩＤを記憶するステップと、上り側に直接接続された各中継装置に記憶されたＭＴＩＥ値の最小値及び当該最小値に係る伝送経路の経路ＩＤを、当該上り側に直接接続された各中継装置から受信するステップと、前記受信された経路ＩＤに係る上り側の中継装置からの最小のＭＴＩＥ値と、当該上り側の中継装置から自中継装置までのＭＴＩＥ値とを合計して合計値を求める計算を、上り側の中継装置毎に行うステップと、計算された上り側の中継装置毎の合計値の中で最小値に係る伝送経路を前記時刻同期に用いる伝送経路として選択するステップと、前記選択された時刻同期に用いる伝送経路の情報を、この情報の当該伝送経路に係る上り側の中継装置へ送信するステップとを実行することを特徴とする時刻経路選択方法である。
【００２６】
この請求項４の構成及び請求項６の方法によれば、次のような作用効果が得られる。上り側の中継装置で受信された時刻同期に用いる伝送経路の情報（最適経路情報）は、時刻同期に用いる伝送経路が、マスタ装置及び複数の中継装置間の合計のＭＴＩＥ値が最小値となる、特定の中継装置から中継装置を介してマスタ装置に至る伝送経路であることを示す。このため、最適経路情報を受信した中継装置は、その最適経路情報に応じて、マスタ装置からの時刻情報を受信して特定の中継装置へ送信する最適経路で通信を行うことが可能となる。
【発明の効果】
【００２７】
本発明によれば、基準となる時刻情報を送信する複数のマスタ装置と、複数の中継装置を介して時刻情報を受信し時刻同期を取る特定の中継装置との間で、ＭＴＩＥ値の合計が最小となる最適な伝送経路を選択できる時刻経路選択装置及び時刻経路選択方法を提供することができる。
【図面の簡単な説明】
【００２８】
【図１】本発明の第１実施形態に係る時刻経路選択装置を用いた通信システムの構成を示すブロック図である。
【図２】第１実施形態の時刻経路選択装置による時刻経路選択の動作を説明するためのフローチャートである。
【図３】本発明の第２実施形態に係る時刻経路選択装置を用いた通信システムの構成を示すブロック図である。
【図４】第２実施形態の時刻経路選択装置による時刻経路選択の動作を説明するためのフローチャートである。
【図５】本発明の第３実施形態に係る時刻経路選択装置を用いた通信システムの構成を示すブロック図である。
【図６】従来の時刻同期処理を行う通信システムの構成を示すブロック図である。
【図７】縦軸にＴＩＥ（ズレ）を取り、横軸に時間を取った際のＴＩＥと時間との関係図である。
【発明を実施するための形態】
【００２９】
以下、本発明の実施形態を、図面を参照して説明する。
＜第１実施形態の構成＞
図１は、本発明の第１実施形態に係る時刻経路選択装置を用いた通信システムの構成を示すブロック図である。
【００３０】
図１に示す通信システム２０は、時刻経路選択装置３０が制御管理ＮＷ（ネットワーク）４０を介して時刻同期ＮＷ５０に接続されて構成されている。
【００３１】
時刻経路選択装置３０は、時刻情報受信部（受信部ともいう）３１と、時刻情報記憶部３２と、最適経路導出部（導出部ともいう）３３と、経路導出結果記憶部（結果記憶部ともいう）３４と、経路情報送信部（送信部ともいう）３５とを備えて構成されている。
【００３２】
時刻同期ＮＷ５０は、時刻の基準となる複数のマスタ装置を設置して複数の中継装置との間で時刻同期を取る構成となっている。この時刻同期ＮＷ５０は、図示せぬＧＰＳから時刻情報をアンテナ１１ａ，１２ａで受信する２つのマスタ装置１１，１２と、複数の中継装置１３，１４，１５，１６とが相互に伝送経路で接続されて構成されている。なお、マスタ装置の数及び中継装置の数は、これに限定されない。
【００３３】
この構成において、マスタ装置１１と中継装置１３間のＭＴＩＥ値は９０ｎｓであり、マスタ装置１１と中継装置１４間のＭＴＩＥ値は２００ｎｓである。更に、ＭＴＩＥ値は、マスタ装置１２と、中継装置１３間が２００ｎｓ、中継装置１４間が５０ｎｓである。中継装置１３と、エッジの中継装置１５間が９０ｎｓ、エッジの中継装置１６間が１１０ｎｓである。中継装置１４と、エッジの中継装置１５間が１２０ｎｓ、エッジの中継装置１６間が５０ｎｓである。なお、エッジの中継装置１５，１６は、請求項記載の特定の中継装置を構成する。
【００３４】
各マスタ装置１１，１２と各中継装置１３〜１６は各々が、制御管理ＮＷ４０を介して時刻経路選択装置（選択装置ともいう）３０に接続されている。この接続された各々の中継装置１３〜１６は、互いに直接接続された相互間のＭＴＩＥ値を検知しており、検知したＭＴＩＥ値を選択装置３０へ送信する。
【００３５】
図１に示す選択装置３０において、受信部３１は、制御管理ＮＷ４０を介して各中継装置１３〜１６から送信されてきた各ＭＴＩＥ値を受信し、時刻情報記憶部３２に記憶する。
【００３６】
最適経路導出部３３は、マスタ装置１１，１２の各々とエッジの中継装置（例えば中継装置１５）間のＭＴＩＥ値の合計の最小値を求め、この最小値の伝送経路を介したマスタ装置（例えばマスタ装置１２）とエッジの中継装置１５間の伝送経路を最適経路（時刻同期に用いる伝送経路）として導出する。この導出の具体例を説明する。なお、最小値は、Dijkstra法や数理計画法等の公知の手法で求められる。
【００３７】
例えば、マスタ装置１１，１２の各々とエッジの中継装置１５間の全ての伝送経路におけるＭＴＩＥ値の合計値は次の（１）〜（４）の４通りである。
（１）マスタ装置１１から中継装置１３を介したエッジの中継装置１５までのＭＴＩＥ値の合計値は、９０ｎｓ＋９０ｎｓ＝１８０ｎｓである。
（２）マスタ装置１１から中継装置１４を介したエッジの中継装置１５までのＭＴＩＥ値の合計値は、２００ｎｓ＋１２０ｎｓ＝３２０ｎｓである。
（３）マスタ装置１２から中継装置１３を介したエッジの中継装置１５までのＭＴＩＥ値の合計値は、２００ｎｓ＋９０ｎｓ＝２９０ｎｓである。
（４）マスタ装置１２から中継装置１４を介したエッジの中継装置１５までのＭＴＩＥ値の合計値は、５０ｎｓ＋１２０ｎｓ＝１７０ｎｓである。
【００３８】
導出部３３は、上記（１）〜（４）の各合計値を計算し、この各合計値を比較して最小値の１７０ｎｓを求める。この後、導出部３３は、その最小値１７０ｎｓの、マスタ装置１２から中継装置１４を介したエッジの中継装置１５までの伝送経路を最適経路として導出する。この導出した最適経路の情報は結果記憶部３４に記憶される。
【００３９】
送信部３５は、結果記憶部３４に記憶された最適経路情報に基づき、この最適経路上のマスタ装置及び中継装置を求め、このマスタ装置及び中継装置に、最適経路情報を制御管理ＮＷ４０を介して通知する。例えば、送信部３５は、マスタ装置１２、中継装置１４及びエッジの中継装置１５の各々に、最適経路情報を通知する。マスタ装置１２とエッジの中継装置１５とは、その通知された最適経路情報に基づき中継装置１４を経由した最適経路で通信を行うように設定可能となる。
【００４０】
＜第１実施形態の動作＞
次に、第１実施形態に係る通信システム２０における時刻経路選択装置３０による時刻経路選択の動作を、図２のフローチャートを参照して説明する。前提条件として、各々の中継装置１３〜１６は、自中継装置１３〜１６と、各マスタ装置１１，１２との間のＭＴＩＥ値、並びに他の中継装置１３〜１６との間のＭＴＩＥ値を求めているとする。
【００４１】
図２に示すステップＳ１において、選択装置３０の受信部３１は、制御管理ＮＷ４０を介して各々の中継装置１３〜１６から送信されてきた各ＭＴＩＥ値を受信し、時刻情報記憶部３２に記憶する。
【００４２】
ステップＳ２において、導出部３３は、マスタ装置１１，１２の各々とエッジの中継装置（例えば中継装置１５）間のＭＴＩＥ値の合計の最小値を求め、この最小値の伝送経路を介したマスタ装置１１又は１２とエッジの中継装置１５間の伝送経路を最適経路として導出する。例えば、導出部３３で、マスタ装置１２から中継装置１４を介したエッジの中継装置１５までのＭＴＩＥ値の合計の最小値１７０ｎｓが、ＭＴＩＥ値として求められたとする。導出部３３は、ＭＴＩＥ値１７０ｎｓの伝送経路を、最適経路として導出する。
【００４３】
この導出した最適経路の情報は、ステップＳ３において、結果記憶部３４に記憶される。
【００４４】
ステップＳ４において、送信部３５は、結果記憶部３４に記憶された最適経路情報に基づき、この最適経路上のマスタ装置１２及び中継装置１４，１５を検出し、このマスタ装置１２及び中継装置１４，１５に、最適経路情報を制御管理ＮＷ４０を介して通知する。マスタ装置１２とエッジの中継装置１５とは、その通知された最適経路情報に基づき中継装置１４を経由した最適経路で通信を行うように設定する。
【００４５】
＜第１実施形態の効果＞
第１実施形態に係る時刻経路選択装置３０の効果について説明する。時刻経路選択装置３０は、基準となる時刻情報を送信する複数のマスタ装置１１，１２と、複数の中継装置１３，１４を介して時刻情報を受信し時刻同期を取る特定の中継装置１５又は１６との間で、各中継装置１３〜１６で求められるＭＴＩＥ値に基づき時刻同期に用いる伝送経路を選択するものである。
【００４６】
（１）時刻経路選択装置３０は、受信部３１と導出部３３を備える。
受信部３１は、マスタ装置１１，１２の下り伝送経路側に接続された全ての中継装置１３〜１６で求められたＭＴＩＥ値を受信する。
導出部３３は、特定の中継装置としての例えばエッジの中継装置１５と、複数の中継装置１３，１４を介した複数のマスタ装置１１，１２との間の各伝送経路において、伝送経路毎に合計のＭＴＩＥ値（合計ＭＴＩＥ値）を求める。更に、導出部３３が、その合計ＭＴＩＥ値が最小（１７０ｎｓ）の伝送経路を選択し、最適な伝送経路として導出するようにした。
【００４７】
この構成によれば、次のような効果が得られる。基準となる時刻情報を送信する複数のマスタ装置１１，１２と、複数の中継装置１３，１４を介して時刻情報を受信し時刻同期を取る特定の中継装置１５との間には、複数の伝送経路が存在する。本実施形態では、その複数の伝送経路毎の合計ＭＴＩＥ値を求め、この合計ＭＴＩＥ値が最小の伝送経路を最適な伝送経路として導出するようにした。つまり、マスタ装置１２と、複数の中継装置１３，１４を介した特定の中継装置１５との間の各伝送経路において、ＭＴＩＥ値の合計が最小（１７０ｎｓ）となる最適な伝送経路を選択できる。
【００４８】
（２）導出部３３で導出された上記時刻同期に用いる伝送経路の情報に係る最適経路情報を、この最適経路情報で示される最適な伝送経路上のマスタ装置１２、中継装置１３及びエッジの中継装置１５に通知する送信部３５を更に備える構成とした。
【００４９】
この構成によれば、送信部３５は、最適な伝送経路上のマスタ装置１２とエッジの中継装置１５と、この間に接続された中継装置１３との各々に、最適経路情報を通知する。このため、最適な伝送経路上のマスタ装置１２とエッジの中継装置１５とは、その通知された最適経路情報に基づき、マスタ装置１２とエッジの中継装置１５間に接続された中継装置１３を経由した最適経路で通信を行うように設定可能となる。
【００５０】
＜第２実施形態の構成＞
図３は、本発明の第２実施形態に係る時刻経路選択装置を用いた通信システムの構成を示すブロック図である。
【００５１】
図３に示す通信システム２０Ａのマスタ装置１１，１２及び中継装置１３Ａ〜１６Ａは、上述した図１のマスタ装置１１，１２及び中継装置１３〜１６と同様の接続構成となっており、異なる点は、各中継装置１３Ａ〜１６Ａが時刻経路選択装置６０を備える点にある。
【００５２】
時刻経路選択装置６０は、上り側ＭＴＩＥ値記憶部（記憶部ともいう）６１と、上り側装置最小値受信部（最小値受信部ともいう）６２と、合計値計算部６３と、最適経路選択部（選択部ともいう）６４と、最適経路送信部（送信部ともいう）６５と、最適経路受信部６６とを備えて構成されている。
【００５３】
記憶部６１は、ある中継装置（自中継装置）と、この上り側に直接接続された複数の中継装置間又はマスタ装置間の各ＭＴＩＥ値の最小値及び当該最小のＭＴＩＥ値に係る伝送経路の経路ＩＤ（identification）を記憶する。例えば、エッジの中継装置１５Ａの記憶部６１は、自中継装置１５Ａの上り側に直接接続された複数の中継装置１３Ａ，１４Ａとの間のＭＴＩＥ値９０ｎｓ，１２０ｎｓの内、最小のＭＴＩＥ値９０ｎｓと当該最小のＭＴＩＥ値９０ｎｓに係る伝送経路の経路ＩＤを記憶する。この経路ＩＤは、時刻経路選択装置６０内で行われる処理時に参照される。
【００５４】
同様に、例えば中継装置１３Ａの記憶部６１は、上り側の最小のＭＴＩＥ値９０ｎｓ及びこれに係る経路ＩＤを記憶する。中継装置１４Ａの記憶部６１は、上り側の最小のＭＴＩＥ値５０ｎｓ及びこれに係る経路ＩＤを記憶する。
【００５５】
最小値受信部６２は、ある中継装置（自中継装置）の上り側に直接接続された複数の中継装置毎に記憶されている、上り側複数伝送経路における最小のＭＴＩＥ値及び当該最小のＭＴＩＥ値に係る伝送経路の経路ＩＤを受信する。この受信された最小のＭＴＩＥ値及び経路ＩＤは、最小値受信部６２の図示せぬ保持部に保持されるとする。この経路ＩＤは、時刻経路選択装置６０内で行われる処理時に参照される。
【００５６】
例えば、中継装置１５Ａの最小値受信部６２は、自中継装置１５Ａの上り側に直接接続された一方の中継装置１３Ａに記憶されている最小のＭＴＩＥ値９０ｎｓ及び当該ＭＴＩＥ値９０ｎｓに係る経路ＩＤを受信すると共に、他方の中継装置１４Ａに記憶されている最小のＭＴＩＥ値５０ｎｓ及び当該ＭＴＩＥ値５０ｎｓに係る経路ＩＤを受信する。
【００５７】
合計値計算部６３は、最小値受信部６２で受信された上り側中継装置からの最小のＭＴＩＥ値と、当該上り側中継装置から自中継装置までのＭＴＩＥ値とを合計して合計値を求める計算を、上り側中継装置毎に行う。この計算された上り側中継装置毎に係る合計値は、合計値計算部６３の図示せぬ保持部に保持されるとする。
【００５８】
例えば、中継装置１５Ａの合計値計算部６３は、最小値受信部６２で受信された上り側の一方の中継装置１３Ａからの最小のＭＴＩＥ値９０ｎｓと、当該中継装置１３Ａから自中継装置１５ＡまでのＭＴＩＥ値９０ｎｓとを合計して合計値１８０ｎｓを求める。更に、合計値計算部６３は、上り側の他方の中継装置１４Ａからの最小のＭＴＩＥ値５０ｎｓと、当該中継装置１４Ａから自中継装置１５ＡまでのＭＴＩＥ値１２０ｎｓとを合計して合計値１７０ｎｓを求める。
【００５９】
選択部６４は、合計値計算部６３で計算された複数の合計値から最小値を選択し、この最小値に係る伝送経路を最適経路として選択する。例えば、中継装置１５Ａの選択部６４は、複数の合計値１８０ｎｓと合計値１７０ｎｓから最小値１７０ｎｓを選択し、この最小値１７０ｎｓに係る伝送経路、即ちエッジの中継装置１５Ａから中継装置１４Ａを介してマスタ装置１２に至る伝送経路を最適経路として選択する。
【００６０】
送信部６５は、選択部６４で選択された最適経路の情報を、当該最適経路に係る中継装置へ送信する。例えば、中継装置１５Ａの送信部６５は、選択部６４で選択された最適経路の情報を、当該最適経路に係る中継装置１４Ａへ送信する。
【００６１】
受信部６６は、下り側の中継装置から送信されてきた最適経路情報を受信する。この受信された最適経路情報は、受信部６６の図示せぬ保持部に保持されるとする。例えば、中継装置１４Ａの受信部６６は、下り側の中継装置１５Ａから送信されてきた最適経路情報を受信する。この受信された最適経路情報は、最適経路が、エッジの中継装置１５Ａから中継装置１４Ａを介してマスタ装置１２に至る伝送経路であることを示す。このため、中継装置１４Ａは、受信した最適経路情報に応じて、マスタ装置１２からの時刻情報を受信してエッジの中継装置１５Ａへ送信する最適経路で通信を行うことが可能となる。
【００６２】
＜第２実施形態の動作＞
次に、第２実施形態に係る通信システム２０Ａにおける時刻経路選択装置６０による時刻経路選択の動作を、図４のフローチャートを参照して説明する。
前提条件として、各々の中継装置１３〜１６は、自中継装置における各マスタ装置１１，１２との間のＭＴＩＥ値、並びに中継装置１３〜１６との間のＭＴＩＥ値を求めているとする。
【００６３】
図４に示すステップＳ１０において、各中継装置１３〜１６の記憶部６１は、自中継装置の上り側に直接接続された複数の中継装置又はマスタ装置との間のＭＴＩＥ値の内、最小のＭＴＩＥ値と当該最小のＭＴＩＥ値に係る伝送経路の経路ＩＤを記憶する。
【００６４】
中継装置１３Ａの記憶部６１は、上り側の最小のＭＴＩＥ値９０ｎｓ及びこれに係る経路ＩＤを記憶し、中継装置１４Ａの記憶部６１は、上り側の最小のＭＴＩＥ値５０ｎｓ及びこれに係る経路ＩＤを記憶する。中継装置１５Ａの記憶部６１は、上り側の最小のＭＴＩＥ値９０ｎｓ及びこれに係る経路ＩＤを記憶し、中継装置１６Ａの記憶部６１は、上り側の最小のＭＴＩＥ値５０ｎｓ及びこれに係る経路ＩＤを記憶する。
【００６５】
次に、ステップＳ１１において、エッジの中継装置１５Ａの最小値受信部６２が、自中継装置１５Ａの上り側の一方の中継装置１３Ａに記憶された最小のＭＴＩＥ値９０ｎｓ及び当該ＭＴＩＥ値９０ｎｓに係る経路ＩＤを受信すると共に、他方の中継装置１４Ａに記憶された最小のＭＴＩＥ値５０ｎｓ及び当該ＭＴＩＥ値５０ｎｓに係る経路ＩＤを受信したとする。
【００６６】
ステップＳ１２において、エッジの中継装置１５Ａの合計値計算部６３が、上記ステップＳ１１で受信された一方の中継装置１３Ａの最小のＭＴＩＥ値９０ｎｓと、当該一方の中継装置１３Ａから自中継装置１５ＡまでのＭＴＩＥ値９０ｎｓとを合計して合計値１８０ｎｓを求める。更に、同中継装置１５Ａの合計値計算部６３は、他方の中継装置１４Ａの最小のＭＴＩＥ値５０ｎｓと、その他方の中継装置１４Ａから自中継装置１５ＡまでのＭＴＩＥ値１２０ｎｓとを合計して合計値１７０ｎｓを求める。
【００６７】
ステップＳ１３において、エッジの中継装置１５Ａの選択部６４が、上記ステップＳ１２で求められた複数の合計値１８０ｎｓ，１７０ｎｓから最小値１７０ｎｓを選択する。更に選択部６４は、その最小値１７０ｎｓに係る伝送経路、即ちエッジの中継装置１５Ａから中継装置１４Ａを介してマスタ装置１２に至る伝送経路を、最適経路として選択する。
【００６８】
ステップＳ１４において、エッジの中継装置１５Ａの送信部６５は、上記ステップＳ１３で選択された最適経路の情報を、この情報の最適経路に係る中継装置１４Ａへ送信する。
【００６９】
ステップＳ１５において、中継装置１４Ａの受信部６６は、上記ステップＳ１４で送信された最適経路情報を受信する。
【００７０】
中継装置１４Ａは、受信した最適経路情報に応じて、マスタ装置１２からの時刻情報を受信してエッジの中継装置１５Ａへ送信する最適経路で通信を行うことが可能となる。
【００７１】
＜第２実施形態の効果＞
第２実施形態に係る時刻経路選択装置６０の効果について説明する。時刻経路選択装置６０は、基準となる時刻情報を送信する複数のマスタ装置１１，１２と、複数の中継装置１３，１４を介して時刻情報を受信し時刻同期を取る特定の中継装置（エッジの中継装置）１５又は１６との間で、各中継装置１３〜１６で求められるＭＴＩＥ値に基づき時刻同期に最適な伝送経路を選択するものである。また、時刻経路選択装置６０は、各中継装置１３Ａ〜１６Ａに設けられている。
【００７２】
（１）時刻経路選択装置６０は、記憶部６１、最小値受信部６２、合計値計算部６３、選択部６４及び送信部６５を備えて構成される。
記憶部６１は、当該記憶部６１がエッジの中継装置１５Ａのものであれば、この中継装置１５Ａの上り側に直接接続された各中継装置１３Ａ，１４Ａ間の、各々のＭＴＩＥ値の最小値９０ｎｓ及び当該最小値９０ｎｓに係る伝送経路の経路ＩＤを記憶する。また、記憶部６１が各中継装置１３Ａのものであれば、記憶部６１は、中継装置１３Ａの上り側に直接接続された各マスタ装置１１，１２間の各々のＭＴＩＥ値の最小値９０ｎｓ及び当該最小値９０ｎｓに係る伝送経路の経路ＩＤを記憶する。また、記憶部６１が各中継装置１４Ａのものであれば、記憶部６１は、中継装置１４Ａの上り側に直接接続された各マスタ装置１１，１２間の各々のＭＴＩＥ値の最小値５０ｎｓ及び当該最小値５０ｎｓに係る伝送経路の経路ＩＤを記憶する。
【００７３】
最小値受信部６２は、上記記憶されたＭＴＩＥ値の最小値９０ｎｓと５０ｎｓ及び当該最小値９０ｎｓと５０ｎｓに係る伝送経路の経路ＩＤを、上り側に直接接続された各中継装置１３Ａ，１４Ａから受信する。
【００７４】
合計値計算部６３は、その受信された経路ＩＤに係る上り側の中継装置１３Ａからの最小のＭＴＩＥ値９０ｎｓと、当該上り側の中継装置１３Ａから自中継装置１５ＡまでのＭＴＩＥ値９０ｎｓとを合計して合計値１８０ｎｓを求める計算を行う。また、合計値計算部６３は、その受信された経路ＩＤに係る上り側の中継装置１４Ａからの最小のＭＴＩＥ値５０ｎｓと、当該上り側の中継装置１４Ａから自中継装置１５ＡまでのＭＴＩＥ値１２０ｎｓとを合計して合計値１７０ｎｓを求める計算を行う。このように当該計算は、上り側の中継装置１３Ａ，１４Ａ毎に行う。
【００７５】
選択部６４は、上記計算された複数の合計値１８０ｎｓ，１７０ｎｓの中の最小値１７０ｎｓに係る伝送経路を最適経路として選択する。送信部６５は、その選択された最適経路の情報を、この情報の最適経路に係る上り側の中継装置１４Ａへ送信するようにした。
【００７６】
この構成によれば、次のような効果が得られる。上り側の中継装置１４Ａで受信された最適経路情報は、最適経路が、マスタ装置及び複数の中継装置間の合計ＭＴＩＥ値が最小値となる次の伝送経路であることを示す。即ち、エッジの中継装置１５Ａから中継装置１４Ａを介してマスタ装置１２に至る伝送経路であることを示す。このため、最適経路情報を受信した中継装置１４Ａは、その最適経路情報に応じて、マスタ装置１２からの時刻情報を受信してエッジの中継装置１５Ａへ送信する最適経路で通信を行うことが可能となる。
【００７７】
＜第３実施形態の構成＞
図５は、本発明の第３実施形態に係る時刻経路選択装置を用いた通信システムの構成を示すブロック図である。但し、図５に示す通信システム２０Ｂにおいて、図１に示した第１実施形態の通信システム２０と同一部分には同一符号を付し、その説明を適宜省略する。
【００７８】
図５に示す第３実施形態の通信システム２０Ｂが、第１実施形態の通信システム２０（図１）と異なる点は、時刻経路選択装置３０Ｂの最適経路導出部３３Ｂ（導出部３３Ｂ）の計算処理にある。更に、時刻同期ＮＷ５０Ｂにおいて、各エッジの中継装置１５，１６には、モバイルの無線の基地局１７，１８が接続されている点にある。
【００７９】
各基地局１７，１８は、当該基地局１７，１８が個別に接続される各中継装置１５，１６における上り側の各合計ＭＴＩＥ値の差分（相対誤差）が小さく、且つ各々の中継装置１５，１６において合計ＭＴＩＥ値がより小さくなる場合に、最適な通信を行うことが可能であるとする。
【００８０】
導出部３３Ｂは、時刻情報記憶部３２に記憶された各マスタ装置１１，１２と各中継装置１３〜１６間のＭＴＩＥ値を基に次の計算処理を行う。
即ち、導出部３３Ｂは、一方の基地局１７が接続されたエッジの中継装置１５と、他方の基地局１８が接続されたエッジの中継装置１６との２装置間において、マスタ装置１１，１２と各エッジの中継装置１５，１６までの各合計ＭＴＩＥ値の差分（相対誤差）が予め定められた規定値以下で、且つ各々の中継装置１５，１６において合計ＭＴＩＥ値が最小値となるように、各合計ＭＴＩＥ値を求める計算を行う。更に導出部３３Ｂは、その計算で求められた各エッジの中継装置１５，１６の各合計ＭＴＩＥ値に係る伝送経路を、各エッジの中継装置１５，１６における最適経路として導出する。
【００８１】
例えば、図５に示すように、各エッジの中継装置１５，１６間の差分の規定値が６５ｎｓに定められているとする。この場合、導出部３３Ｂは、各マスタ装置１１，１２と一方のエッジの中継装置１５間の各伝送経路の合計ＭＴＩＥ値（一方の合計ＭＴＩＥ値）を求めると共に、各マスタ装置１１，１２と他方のエッジの中継装置１６間の各伝送経路の合計ＭＴＩＥ値（他方の合計ＭＴＩＥ値）を求める。
【００８２】
まず、各マスタ装置１１，１２と一方のエッジの中継装置１５間の全伝送経路の合計ＭＴＩＥ値は、次の（１１）〜（１４）の４通りである。
（１１）マスタ装置１１から中継装置１３を介したエッジの中継装置１５までのＭＴＩＥ値の合計値は、９０ｎｓ＋９０ｎｓ＝１８０ｎｓである。
（１２）マスタ装置１１から中継装置１４を介したエッジの中継装置１５までのＭＴＩＥ値の合計値は、２００ｎｓ＋１２０ｎｓ＝３２０ｎｓである。
（１３）マスタ装置１２から中継装置１３を介したエッジの中継装置１５までのＭＴＩＥ値の合計値は、２００ｎｓ＋９０ｎｓ＝２９０ｎｓである。
（１４）マスタ装置１２から中継装置１４を介したエッジの中継装置１５までのＭＴＩＥ値の合計値は、５０ｎｓ＋１２０ｎｓ＝１７０ｎｓである。
【００８３】
次に、各マスタ装置１１，１２と他方のエッジの中継装置１６間の全伝送経路の合計ＭＴＩＥ値は、次の（２１）〜（２４）の４通りである。
（２１）マスタ装置１１から中継装置１４を介したエッジの中継装置１６までのＭＴＩＥ値の合計値は、２００ｎｓ＋５０ｎｓ＝２５０ｎｓである。
（２２）マスタ装置１１から中継装置１３を介したエッジの中継装置１６までのＭＴＩＥ値の合計値は、９０ｎｓ＋１１０ｎｓ＝２００ｎｓである。
（２３）マスタ装置１２から中継装置１４を介したエッジの中継装置１６までのＭＴＩＥ値の合計値は、５０ｎｓ＋５０ｎｓ＝１００ｎｓである。
（２４）マスタ装置１２から中継装置１３を介したエッジの中継装置１６までのＭＴＩＥ値の合計値は、２００ｎｓ＋１１０ｎｓ＝３１０ｎｓである。
【００８４】
この場合、各エッジの中継装置１５，１６間の差分が規定値６５ｎｓ以下となる１つ目の条件下での各合計ＭＴＩＥ値は、例えば（１１）〜（１４）における一方の合計ＭＴＩＥ値が１８０ｎｓであり、（２１）〜（２４）における他方の合計ＭＴＩＥ値が２００ｎｓの場合がある。更に、一方の合計ＭＴＩＥ値が３２０ｎｓであり、他方の合計ＭＴＩＥ値が３１０ｎｓの場合がある。この他にも複数の組み合わせの場合がある。
【００８５】
しかし、２つ目の条件として、各々の中継装置１５，１６において合計ＭＴＩＥ値が最小値となるといった条件があるので、１つ目と２つ目の双方の条件を満たすケースは、一方の合計ＭＴＩＥ値が１７０ｎｓ、他方の合計ＭＴＩＥ値が２００ｎｓとなる場合である。つまり、本例では、導出部３３Ｂは、一方の合計ＭＴＩＥ値が１７０ｎｓ、他方の合計ＭＴＩＥ値が２００ｎｓとなる場合の、各エッジの中継装置１５，１６に係る各伝送経路を最適経路として導出する。
【００８６】
これによって、各エッジの中継装置１５，１６に接続されたモバイルの基地局１７，１８間で適正な通信を行うことができる。
【００８７】
その他、具体的な構成について、本発明の主旨を逸脱しない範囲で適宜変更が可能である。
【符号の説明】
【００８８】
１１，１２  マスタ装置
１３〜１６，１３Ａ〜１６Ａ  中継装置
１７，１８  基地局
２０，２０Ａ，２０Ｂ  通信システム
３０，３０Ｂ，６０  時刻経路選択装置
３１  時刻情報受信部
３２  時刻情報記憶部
３３，３３Ｂ  最適経路導出部
３４  経路導出結果記憶部
３５  経路情報送信部
４０  制御管理ＮＷ
５０，５０Ｂ  時刻同期ＮＷ
６１  上り側ＭＴＩＥ値記憶部
６２  上り側装置最小値受信部
６３  合計値計算部
６４  最適経路選択部
６５  最適経路送信部
６６  最適経路受信部
【図１】
2019146052.tif 000003
【図２】
2019146052.tif 000004
【図３】
2019146052.tif 000005
【図４】
2019146052.tif 000006
【図５】
2019146052.tif 000007
【図６】
2019146052.tif 000008
【図７】
2019146052.tif 000009